(57)【要約】【課題】新たな観点に立ったＬＣ共振健康シートを提供しようとするものであり、人体から発せられる電磁波をＬＣ共振により的確に捉えて体内に還流させ、体内温度を高めようとするものである。【解決手段】天然ゴム、合成ゴム、シリコンゴム等の電気絶縁性弾性材に磁性材の粉末と導電材の粉末とを分散混入させてＬＣ共振シート２を形成し、該ＬＣ共振シートには、それらの電気絶縁性弾性材、磁性材の粉末及び導電材の粉末により微小リアクトルと微小コンデンサとから成る無数の微小ＬＣ共振回路の集合体を内在させ、また、そのＬＣ共振シート２の裏面に磁気遮蔽シート３を付設して成る。【選択図】図１
2009136587.tif 000002
【特許請求の範囲】
【請求項１】
天然ゴム、合成ゴム、シリコンゴム等の電気絶縁性弾性材に磁性材の粉末と導電材の粉末とを分散混入させてＬＣ共振シートを形成し、該ＬＣ共振シートにはそれらの電気絶縁性弾性材、磁性材の粉末及び導電材の粉末により微小リアクトルと微小コンデンサとから成る無数の微小ＬＣ共振回路の集合体を内在させたことを特徴とするＬＣ共振健康シート。
【請求項２】
上記ＬＣ共振シートの裏面に磁気遮蔽シートを付設して成る請求項１記載のＬＣ共振健康シート。
【発明の詳細な説明】
【技術分野】
【０００１】
本発明は、人体から発せられる電磁波をＬＣ共振により的確に捉えて体内に還流させ、体内温度を高めるＬＣ共振健康シートに関するものである。
【背景技術】
【０００２】
人体から放射されている電磁波は、臓器、筋肉、皮膚、皮下、血管、神経、その他のあらゆる体内細胞の運動、並びに、血管を通じて体内に流れる血流、神経系統の微小電流（生物電気）などにより発生し、その周波数はそれらの状況や部位によって異なるが、赤外線の範囲の他、それ以上及びそれ以下の範囲をも含んでいる。なお、赤外線とは、可視光線よりも波長が長く、マイクロ波よりも波長が短い電磁波の総称であり、はっきりとした波長の限界はないが、大体７２０ｎｍ〜１ｍｍの範囲内の波長の電磁波を指す。熱作用が強いので熱線ともいわれている。波長範囲で大別して、約７２０ｎｍ〜２．５μｍを近赤外線、２．５〜２５μｍを狭義の赤外線又は中間赤外線、２５μｍ〜１ｍｍを遠赤外線ともいわれている。
【０００３】
さて、肩こり等の疾患や老化の場合には、患部等の末端細胞における血流が鈍くなり、血流によって送り込まれるブドウ糖等（エネルギー基質）の供給量もヘモグロビンによって送り込まれる酸素量も低下し、末端細胞の運動も新陳代謝も悪くなり、体温が下がる。殊に年齢とともに赤血球の変形化が進んで本来の扁平で丸い赤血球が次第に少なくなるので、毛細血管から末端細胞に赤血球が入り難くなってその度合いは高くなる。
【０００４】
これを改善するため、従来、人体に対し外部から電気エネルギー、熱エネルギー、機械エネルギー等を供給することにより患部や冷える部分を温める種々の機器・装置が存在することは既に良く知られており、また、化学反応で発熱する所謂使い捨て懐炉も周知であるが、これらのものは、外部エネルギーや化学薬品を消耗し、使用にかなりの制約を受けるだけでなく、火傷などを生ずる場合もある。そこで、そのような外部エネルギーや化学反応を用いないで患部等を温める次のような試みがなされている。
【０００５】
その１．は、ゴム等の弾性気泡体に、人体から放出されるエネルギー線の波長と同波長の不可視熱線を発するジルコニウム錯化合物、ジルコン、コーデライト等の物質を混入させることにより、該物質からの不可視熱線を人体からのエネルギー線に同調させて人体の原子やイオンの振動を励起させ、もって、人体エネルギーを増大させ、体力や体温の増強を得んとするものである（特許文献１）。
【０００６】
その２．は、電磁波を透過する表面シートと電磁波を反射する裏面シートとの間に常温で１〜１４μｍの赤外線を放射する角閃石岩粉を充填して成り、該角閃石岩粉からの赤外線を人体へと供給して人体内部に共鳴させることにより、およそ０．００１Ｗのエネルギーを人体内部に吸収させようとするものであり、もって、赤外線を利用した光線療法を可能ならしめたものである（特許文献２）。
【０００７】
その３．は、合成樹脂に、Ｃ：０．１〜７質量％、ＳｉＯ２：６７〜９２質量％を含むグラファイトシリカ（北海道渡島半島の上ノ口町北東部の石墨質断層から産出される角礫岩の主成分）の粉末を分散混入したものから成り、該グラファイトシリカが常温で４〜１４μmの波長領域での赤外線を放射することを利用して、これを熱源とすることで人体患部を温めて活性化させ、患部の血行を良くしようとするものである（特許文献３、特許文献４）。
【０００８】
その４は、布団や毛布に放射性物質を内在させ、この放射性物質から放出される放射線を人体患部に当てることで、患部を温めて治療するというものである（特許文献１の従来の技術の項参照）。
【特許文献１】特開昭６４−２４８３７号公報
【特許文献２】特開２００２−３０６６１６号公報
【特許文献３】特開２００３−３１０６５２号公報
【特許文献４】特開２００３−３１０７７２号公報
【発明の開示】
【発明が解決しようとする課題】
【０００９】
上述のその１乃至その４のものは、天然の岩石等から放射される赤外線や放射線をエネルギー源として利用するものであるから、外部エネルギーも化学薬品も消耗せず、半永久的に使用できるが、実際にシートやマットなどを製作したときに十分な効果が得られるかどうかについては疑問が残る。また、天然の岩石に一様の成分や性能を期待することは難しく、その都度検査するだけでなく、その検査結果に相応してその都度配合割合を決定しなければならないため、製作には甚だ手間と時間がかかり、著しくコスト高となる。しかもなお、一定の品質を維持確保することが容易ではない。更に、放射性物質の場合、その量や種類によっては人体に害を及ぼす虞がある。
【００１０】
本発明は、それらの問題点の無い新たな観点に立ったＬＣ共振健康シートを提供しようとするものであり、人体から発せられる電磁波をＬＣ共振により的確に捉えて体内に還流させ、体内温度を高めようとするものである。
【課題を解決するための手段】
【００１１】
本発明の請求項１のＬＣ共振健康シートは、天然ゴム、合成ゴム、シリコンゴム等の電気絶縁性弾性材に磁性材の粉末と導電材の粉末とを分散混入させてＬＣ共振シートを形成し、該ＬＣ共振シートには、それらの電気絶縁性弾性材、磁性材の粉末及び導電材の粉末により微小リアクトルと微小コンデンサとから成る無数の微小ＬＣ共振回路の集合体を内在させたことを特徴とする。
【００１２】
本発明の請求項２のＬＣ共振健康シートは、請求項１のＬＣ共振健康シートにあって、上記ＬＣ共振シートの裏面に磁気遮蔽シートを付設して成る。
【発明の効果】
【００１３】
如上の構成であり、上記ＬＣ共振健康シートは、これ自体が発熱しないので、人体皮膚面から適宜間隔を隔てて断熱保温材を介して使用すれば良く、これにより、人体から放射される電磁波は、ＬＣ共振シートにおいて何れかの微小ＬＣ共振回路に同調して捉えられ、当該電磁波の磁束が無数の微小ＬＣ共振回路を構成している無数の磁性材の粉末に、かつ、当該電磁波の電束が無数の微小ＬＣ共振回路を構成している無数の導電材の粉末に伝播して、それらの磁性材の粉末と導電材の粉末とが帯磁、帯電し、次いで、帯磁したそれらの磁性材の粉末からの磁力線と帯電したそれらの導電材の粉末からの電気力線とが各々磁気誘導（N／S）、静電誘導（＋／−）を以ってＬＣ共振シートから人体へと広く還流（図２参照）して、人体内の血液（赤血球、該赤血球中のヘモグロビン、該ヘモグロビン内の鉄分）、水分（マイナスイオン化する）、その他泳動体、体内各所で発生する微弱な電力と共振し、これらの総合力により発熱して、より体温を高め、これに伴い、人体は、特に手先、足先、内臓等、従来最も病気、冷え性の問題になっているところから温まりだす。また、ＬＣ共振シートの裏面に磁気遮蔽シートを付設することにより、その電磁波のエネルギーは人体以外のものに奪われることなく活用できる。
【００１４】
したがって、本発明は、ＬＣ共振という従来に無い新たな手段から成るものであって、前記背景技術の項においてその１乃至その４として述べた従来のものともその技術内容が本質的に異なり、それらが有する不都合のないものを提供することができる。勿論、人体エネルギーを使用するので３７．５℃以上になることはなく、火傷や放射線障害を生じない安全なものを生産性良く容易に生産できる。そして、上述のように従来最も病気、冷え性の問題になっているところから温まるため、癌にもウィールスにも病気にも強くなれる利点がある。更に、余分な脂肪が蓄積した人には体を動かさないでもその蓄積脂肪を燃焼除去させることができる。しかも、寒い場所等での保温用としても使用できる。無論、半永久的に使用できる。
【００１５】
ところで、上記ＬＣ共振シートに混入した磁性材の粉末及び導電材の粉末は、微視的に見ればシート全般において全て一様には分散しない。しかし、このことが無数に存在する微小ＬＣ共振回路の共振周波数を微妙に変化させることになり、これらが人体から放射される異なる周波数の電磁波に対応するので、人体から放射される全ての電磁波を十分に活用できる。
【００１６】
また、その天然ゴム、合成ゴム、シリコンゴム等の電気絶縁性弾性材も、これに分散混入させる磁性材の粉末及び導電材の粉末も、既に確立された加工技術によって人工的に高品質に生産されているものであるから、当該ＬＣ共振シートを量産してもほぼ均一の高い品質を確保でき、その品質検査の検査態勢も容易にかつ適正に実現でき、高品質の製品を安価に提供できる。
【発明を実施するための最良の形態】
【００１７】
電気絶縁性弾性材と磁性材の粉末と導電材の粉末との混合比率は、重量％で
電気絶縁性弾性材          ６０重量％
磁性材の粉末              ２５重量％
導電材の粉末              １５重量％
程度とする。
【実施例】
【００１８】
図１は、本発明のＬＣ共振健康シート１に係る実施例を示しており、図示のものは、天然若しくは合成のゴム又はシリコンの絶縁材と結合材とをベースとして、磁性材の粉末と導電材の粉末とを攪拌混合させ、固化反応させて、電気絶縁性弾性材に磁性材と導電材の各粉末を分散混入させたＬＣ共振シート２を形成している。具体的には、例えば、その電気絶縁性弾性材としてシリコンゴムを、磁性材の粉末として強磁性材料のフェライトの超微粉（４０μm内外）を、導電材の粉末として銅の超微粉（４０μm内外）を使用し、混合比率を重量％で
シリコンゴム              ６０重量％
フェライトの超微粉        ２５重量％
銅の超微粉                １５重量％
程度とし、厚さ０．３〜３ｍｍ程度のシートに形成する。なお、導電材の粉末としては、銅の粉末の他、金、銀、アルミニウム等の粉末であってもよく、これら複数種類を混合させたものであってもよい。
【００１９】
この場合のフェライトの超微粉及び銅の超微粉は、シリコンゴムと相俟ってＬＣ共振シート２内に微小リアクトルと微小コンデンサとから成る無数の微小ＬＣ共振回路の集合体を形成する。これらの微小ＬＣ共振回路は、人体からの極少の極超短波１〜１００ＧＨｚ及びそれ以上の電磁波に共振し、前記発明の効果の項で述べた通りそのエネルギーを十分に人体へと戻す。
【００２０】
上記ＬＣ共振シート２には、裏面に磁気遮蔽シート３を付設すると良い。この磁気遮蔽シート３は、天然ゴム、合成ゴム、シリコンゴム等の電気絶縁性弾性材に磁性材の粉末を分散混入させたものとする。具体的には、例えば、その電気絶縁性弾性材としてシリコンゴムを、磁性材の粉末として強磁性材料のフェライトの超微粉（４０μm内外）を使用し、混合比率を重量％で
シリコンゴム              ７５重量％
フェライトの超微粉        ２５重量％
程度とし、厚さ０．１〜１ｍｍ程度のシートに形成してＬＣ共振シート２の裏面に接合一体化させる。この磁気遮蔽シート３は、人体から放射されている磁力線、電磁波を遮蔽して、他所へ洩れるのを阻止する。
【００２１】
而して、上記ＬＣ共振健康シート１は、図２、図３に示すように、使用者が就寝時に全身的に使用する場合には、その使用者の全身の体型に合わせて、例えば、幅ｗを４００〜９００ｍｍ程度、長さｌを９００〜１６００ｍｍ程度、厚さｔを０．５〜３ｍｍ程度に形成し（一般的には幅ｗを８００ｍｍ内外、長さｌを１５００ｍｍ内外、厚さｔを３ｍｍ程度にすると良い。）、厚さＴが１０〜５０ｍｍ内外程度のベッドパッド又は敷布団４の下に入れて就寝する（但し、発熱しては困る頭部乃至頚部等の位置を除く。）。このようにベッドパッド又は敷布団４の下に入れるのは、ＬＣ共振健康シート１が金属粉とシリコンゴム等で構成されていてシート自体が発熱するものではないため、肌に直に触れると伝導では逆に体温を奪われ、また、対流も輻射もなく、保温効果はゼロだからである。なお、患部に部分的に使用する場合には、相応の大きさと厚さにすれば良い。
【００２２】
そのようにして就寝すると、図２、図３に示すように、人体５から放射される電磁波（内臓６の図２中の◎印し部分からの放射を例示）は、ＬＣ共振シート２において何れかの微小ＬＣ共振回路に同調して捉えられ、当該電磁波の磁束が無数の磁性材の超微粉に、かつ、当該電磁波の電束が無数の導電材の超微粉に伝播して、各々帯磁又は帯電し、それらの磁力線と電気力線とが各々磁気誘導（N／S）、静電誘導（＋／−）を以ってＬＣ共振シートから人体へと広く還流して、人体内の血液、水分、その他泳動体、体内各所で発生する微弱な電力と共振し（前記発明の効果の項参照）、これらの総合力によって、人体５は、手先７、足先８、内臓６、表面９等、従来最も病気、冷え性の問題になっているところから発熱し、３〜５分（厚さｔが３ｍｍのＬＣ共振健康シート１では３分程度）で温まりだし、血行が良くなる。なお、体力に余力のある人にはこの効果が顕著である。一方、エネルギー、カロリーを抑えてその摂取量が少ない身体には効果は比較的薄いが、これとても継続使用により総合的に次第に改善される。
【００２３】
そして、この人体内自家発電のＬＣ共振健康シート１は、下記の素晴らしい特長を備えている。すなわち、
(１)  人体が運動も活動もしない睡眠中に、知らぬ間に血流を促進して体温を高めることができ、各種の病気、冷え性、老化等を改善することができる。
【００２４】
(２)  寝ている間に自然に体内の余分な脂肪分を燃焼させて消費し、又は、蓄積しないように内臓における余分な栄養を燃焼除去させることができる。したがって、メタボリックシンドロームが問題となっている飽食の時代の今日にあって、敷いて寝るだけで贅肉を落とすことができて、体質の改善に頗る便利重宝である。
【００２５】
(３)  共振によるため、体を内部からも温めることができ、これにより人体をウィールスや病気に強いものにすることができる。
【００２６】
(４)  人体は年齢とともに代謝が低下し、皮下脂肪が付くようになると、常時３６℃以下となって癌細胞が増殖を始める温度となり、３５．５℃以下になると、癌細胞は爆発的に増殖して発病するが、３６．５℃以上３７℃に保つことで癌やウィールスを寄せ付けないようにすることができる。
【００２７】
(５)  外部エネルギーも化学反応も要せず、何等の危険性もなく、半永久的に使用でき、持ち歩いて何処ででも自由に使用することができ、寒い場所等での保温用としても使用することができる。
【００２８】
(６)  高品質のものを容易に製作でき、安価に提供できる。
【００２９】
ＬＣ共振におけるインダクタンスＬとキャパシタンスＣの値は、上述の磁性材の粉末と導電材の粉末との割合や材質等によって決まるので、これを調整すれば良いが、下記表１〜表４の通り微小で、周波数１〜１００ＧＨｚにおいて効果を上げる。そのインダクタンスＬとキャパシタンスＣを如何なる値にするかについては、体質等によって異なり、個人差があるため、予めそれらについての試用品を用意して、使用者各人に最も適したものを抽出すれば良い。また、効果の検証には、人体とLC共振健康シート１との間に該ＬＣ共振健康シート１と同等の面積の電磁遮蔽板すなわち薄い導電板を挿入したり取り除いたりすれば良く、挿入した際にはたちどころに人体の発熱が止まって冷たくなり、取り除けば再び人体が発熱して３〜５分（厚さｔが３ｍｍのＬＣ共振健康シート１では３分程度）で温かくなるので、これを被験者（使用者）が実感すれば良い。したがって、頗る簡単かつ容易に検証できる。なお、上記導電板は、例えば、厚さ０．１ｍｍ以下のアルミニウム板、銅板、鉄板等のなるべく薄いものが良い。この導電板は挿入面積に比例して人体の発熱状況が変わるので、温度上昇のコントロールに供することもできる。
［表１］
Ｌ＝０．１μＨのときのＣ（単位：Ｆ）
１ＧＨｚ      ２．５３×１０−１３
２ＧＨｚ      ６．３４×１０−１３
３ＧＨｚ      ２．８１×１０−１４
４ＧＨｚ      １．５８×１０−１４
５ＧＨｚ      １．０１×１０−１４
６ＧＨｚ      ７．０４×１０−１５
７ＧＨｚ      ５．１７×１０−１５
８ＧＨｚ      ３．９６×１０−１５
９ＧＨｚ      ３．１３×１０−１５
１０ＧＨｚ      ２．５３×１０−１５
［表２］
Ｌ＝１ｎＨのときのＣ（単位：Ｆ）
１ＧＨｚ      ２．５３×１０−１１
２ＧＨｚ      ６．３４×１０−１２
３ＧＨｚ      ２．８１×１０−１２
４ＧＨｚ      １．５８×１０−１２
５ＧＨｚ      １．０１×１０−１２
６ＧＨｚ      ７．０４×１０−１３
７ＧＨｚ      ５．１７×１０−１３
８ＧＨｚ      ３．９６×１０−１３
９ＧＨｚ      ３．１３×１０−１３
１０ＧＨｚ      ２．５３×１０−１３
［表３］
Ｌ＝０．１ｐＨのときのＣ（単位：Ｆ）
１０ＧＨｚ      ２．５３×１０−９
２０ＧＨｚ      ６．３４×１０−１０
３０ＧＨｚ      ２．８１×１０−１０
４０ＧＨｚ      １．５８×１０−１０
５０ＧＨｚ      １．０１×１０−１０
６０ＧＨｚ      ７．０４×１０−１１
７０ＧＨｚ      ５．１７×１０−１１
８０ＧＨｚ      ３．９６×１０−１１
９０ＧＨｚ      ３．１３×１０−１１
１００ＧＨｚ      ２．５３×１０−１１
［表４］
Ｌ＝１ｐＨのときのＣ（単位：Ｆ）
１０ＧＨｚ      ２．５３×１０−１０
２０ＧＨｚ      ６．３４×１０−１１
３０ＧＨｚ      ２．８１×１０−１１
４０ＧＨｚ      １．５８×１０−１１
５０ＧＨｚ      １．０１×１０−１１
６０ＧＨｚ      ７．０４×１０−１２
７０ＧＨｚ      ５．１７×１０−１２
８０ＧＨｚ      ３．９６×１０−１２
９０ＧＨｚ      ３．１３×１０−１２
１００ＧＨｚ      ２．５３×１０−１２
次に、腹部に使用する場合は、例えば、幅１００ｍｍ内外のＬＣ共振健康シート１を下にタオル等を当てて腹部に巻く。こうすると、５分程で腹部が体内から温まりだし、発汗するようになる。したがって、体内に蓄積された脂肪分を肉体運動せずとも燃焼させることができる。肩こりや各所の筋肉痛等の患部にも同様に局所的に使用して、その患部を温めることにより治療することができる。
【００３０】
なお、本発明に係るＬＣ共振健康シートは、外力に対する強度さえ保てれば、全体として厚さ０．５ｍｍ以下であっても良い。また、シート自体が冷たくて直接肌に触れるようにしようしてはならないので、羽毛や毛布やウエットスーツのように保温のみを目的にしたものとは根本的に異なり、かつ、何らかの外部エネルギーにより４０℃以上に加熱しないと熱線を発しない遠赤外線物質を用いた物とも全然異なる。
【産業上の利用可能性】
【００３１】
一般家庭で広く自由に使用できるだけでなく、治療器具としても多様に使用できて、人々の健康の維持増進にひいては関連産業の発展に貢献できる。
【図面の簡単な説明】
【００３２】
【図１】本発明に係るＬＣ共振健康シートの実施例を示す截断斜視図である。
【図２】同実施例の使用説明側面図である。
【図３】図３中の敷布団を透視した状態で示す同実施例の使用説明平面図である。
【符号の説明】
【００３３】
１  ＬＣ共振健康シート
２  ＬＣ共振シート
３  磁気遮蔽シート
４  敷布団
５  人体
６  内臓
７  手先
８  足先
９  表面
【図１】
2009136587.tif 000003
【図２】
2009136587.tif 000004
【図３】
2009136587.tif 000005